(57)【要約】【課題】カメラ撮影のための照度が確保されていない状況下においても、防犯カメラにより撮影された被撮影者の身長並びに着衣及び所持品の色を容易に比定可能な被撮影者比定用メジャーを提供する。【解決手段】基体３０の表面に、被撮影者比定用マークとして、複数のカラー表示領域１１〜１６を互いに隣接させて表示する。複数のカラー表示領域１１〜１６の夫々には、照度が不足している状況下でカメラ撮影したときに、隣接するカラー表示領域間で明度が所定値以上異なるモノクロ画像が得られるように、色を配色する。各カラー表示領域１１〜１６内には、目盛り線１７及び身長表示マーク１８を表示する。【選択図】図１
2017209178.tif 000002
【特許請求の範囲】
【請求項１】
基体の表面に被撮影者比定用マークを表示してなる被撮影者比定用メジャーにおいて、
前記被撮影者比定用マークとして、複数のカラー表示領域を互いに隣接させて前記基体の表面に表示し、前記複数のカラー表示領域のそれぞれには、照度が不足している状況でカメラ撮影したときに、隣接するカラー表示領域間で明度が所定値以上異なるモノクロ画像が得られるように、色を配色したことを特徴とする被撮影者比定用メジャー。
【請求項２】
請求項１に記載の被撮影者比定用メジャーにおいて、
前記被撮影者比定用マークとして、目盛り線及び身長表示マークを更に表示したことを特徴とする被撮影者比定用メジャー。
【請求項３】
請求項２に記載の被撮影者比定用メジャーにおいて、
前記カラー表示領域の内部に前記目盛り線及び前記身長表示マークを表示し、前記カラー表示領域とその内部に表示される前記目盛り線及び前記身長表示マークとは、照度が不足している状況でカメラ撮影したときに、前記カラー表示領域とその内部に表示される前記目盛り線及び前記身長表示マークとの間で明度が所定値以上異なるモノクロ画像が得られるように、色を配色したことを特徴とする被撮影者比定用メジャー。
【請求項４】
請求項１乃至請求項３のいずれか１項に記載の被撮影者比定用メジャーにおいて、
前記複数のカラー表示領域の周囲に、蓄光材を含むインクで印刷された枠を表示したことを特徴とする被撮影者比定用メジャー。
【請求項５】
請求項２に記載の被撮影者比定用メジャーにおいて、
前記目盛り線及び前記身長表示マークを、蓄光材を含むインクで印刷したことを特徴とする被撮影者比定用メジャー。
【発明の詳細な説明】
【技術分野】
【０００１】
本発明は、被撮影者比定用メジャーに関する。
【背景技術】
【０００２】
被撮影者比定用メジャーは、防犯カメラの視野内に設置され、防犯カメラによって撮影された人物の画像と被撮影者比定用メジャーの画像とを比較することで、被撮影者の特徴を比定するものであり、当該被撮影者の特定を容易にするために用いられる。
【０００３】
従来、この種の被撮影者比定用メジャーとしては、テープ状の基体の表面に被撮影者の身長を比定するための目盛りと視力検査用のマークとを印刷表示したものが知られている（例えば、特許文献１参照。）。また、特許文献１には、被撮影者の身長の比定を容易なものにするため、例えば１６０ｃｍ、１７０ｃｍ、１８０ｃｍといった区切りの良い目盛りを、他のメモリとは異なる識別しやすい着色若しくは蛍光性インクで表示する技術も記載されている。
【０００４】
従来の被撮影者比定用メジャーは、このように構成されているので、被撮影者比定用メジャーを設置しない場合に比べて被撮影者の身長を比定しやすく、当該被撮影者の特定を容易なものにできる。
【先行技術文献】
【特許文献】
【０００５】
【特許文献１】登録実用新案第３０３２７９０号公報
【発明の概要】
【発明が解決しようとする課題】
【０００６】
しかしながら、従来の被撮影者比定用メジャーは、被撮影者の身長については比定しやすくできるものの、被撮影者の着衣及び所持品の色については比定することができず、被撮影者の特定に十分な効果を発揮することが困難である。
【０００７】
なお、被撮影者比定用メジャーの基体表面に、各種の色調で色分けされたカラー表示領域を追加すれば、防犯カメラで撮影された被撮影者のカラー画像と被撮影者比定用メジャーに印刷表示されたカラー表示領域の画像とを比較することで、被撮影者の着衣及び所持品の色を特定しやすくなる。
【０００８】
しかしながら、一般に使用されている防犯カメラは、カメラ撮影のための照度が確保されている状況下ではカラー画像を撮影することが可能であるが、カメラ撮影のための照度が確保されていない状況下ではカラー画像を撮影することが困難で、防犯カメラの撮影画像は、コントラストが低いモノクロ画像となる場合が多い。このため、従来の被撮影者比定用メジャーによっては、仮にカラー表示領域を追加したとしても、カメラ撮影のための照度が確保されていない状況下においては、被撮影者の着衣及び所持品の色を正確に比定することが困難である。
【０００９】
本発明は、このような従来技術の課題を解決するまでになされたものであり、カメラ撮影のための照度が確保されていない状況下においても、防犯カメラにより撮影された被撮影者の身長並びに着衣及び所持品の色を容易に比定可能な被撮影者比定用メジャーを提供することを目的とするものである。
【課題を解決するための手段】
【００１０】
上記の課題を解決するために、本発明は、基体の表面に被撮影者比定用マークを表示してなる被撮影者比定用メジャーにおいて、前記被撮影者比定用マークとして、複数のカラー表示領域を互いに隣接させて前記基体の表面に表示し、前記複数のカラー表示領域のそれぞれには、照度が不足している状況でカメラ撮影したときに、隣接するカラー表示領域間で明度が所定値以上異なるモノクロ画像が得られるように、色を配色したことを特徴とする。
【発明の効果】
【００１１】
本発明によると、カメラ撮影のための照度が確保されていない状況下においても、防犯カメラにより撮影された被撮影者の身長並びに着衣及び所持品の色を容易に比定することができる。上記した以外の課題、構成及び効果は、以下に記載する実施形態の説明により明らかにされる。
【図面の簡単な説明】
【００１２】
【図１】実施形態に係る被撮影者比定用メジャーの正面図である。
【図２】実施形態に係る被撮影者比定用メジャーを照度が不足している状況で撮影したときのモノクロ画像を示す図である。
【図３】実施形態に係る被撮影者比定用メジャーに形成されたカラー表示領域の配色パターンを説明する図である。
【図４】他の実施形態に係る被撮影者比定用メジャーを照度が不足している状況で撮影したときのモノクロ画像を示す図である。
【発明を実施するための形態】
【００１３】
以下、本発明に係る被撮影者比定用メジャーの実施形態を、図１乃至図３を参照しながら説明する。
【００１４】
図１に示すように、実施形態に係る被撮影者比定用メジャー１は、基体３０の表面に、被撮影者比定用マークとして複数のカラー表示領域１１、１２、１３、１４、１５、１６が上下方向に連接して表示されている。また、実施形態に係る被撮影者比定用メジャー１は、各カラー表示領域１１、１２、１３、１４、１５、１６の内部に、被撮影者比定用マークである目盛り線１７及び身長表示マーク１８を表示している。
【００１５】
図１の例では、１０ｃｍ間隔で６本の目盛り線１７が基体３０に表示され、各目盛り線１７の近傍に、下から順に身長表示マーク１８である１４０ｃｍの文字、１５０ｃｍの文字、１６０ｃｍの文字、１７０ｃｍの文字、１８０ｃｍの文字、１９０ｃｍの文字が表示されている。従って、実施形態に係る被撮影者比定用メジャー１は、身長が１４０ｃｍから１９０ｃｍまでの被撮影者の身長の比定が可能になる。
【００１６】
また、各カラー表示領域１１、１２、１３、１４、１５、１６の周囲には、図２に示すように、蓄光材を含むインクを用いて印刷された枠２１と目盛り線２２とが設けられる。蓄光体は、照度が高い状況下で可視光や紫外線を蓄え、照度が低下した状況下で発光する物質であり、例えば硫化亜鉛やアルミン酸ストロンチウム等が知られている。
【００１７】
実施形態に係る被撮影者比定用メジャー１は、防犯カメラの視野内に設置され、防犯カメラにより撮影された人物（被撮影者）の画像と目盛り線１７及び身長表示マーク１８の画像を比較することにより、被撮影者の身長を比定できるようにしたものである。また、実施形態に係る被撮影者比定用メジャー１は、防犯カメラにより撮影された被撮影者の画像とカラー表示領域１１、１２、１３、１４、１５、１６の画像を比較することにより、被撮影者の着衣及び所持品の色を特定できるようにしたものである。従って、実施形態に係る被撮影者比定用メジャー１は、１９０ｃｍの高さ位置を示す目盛り線１７が、床面から１９０ｃｍの高さになるようにして、建物の壁面や柱等の所要の箇所に設置される。
【００１８】
なお、基体３０は、被撮影者比定用マークを印刷できて、定型を保てるものであれば良く、紙、プラスチックシート、プラスチック板、木板材、金属板などを用いて形成することができる。
【００１９】
また、壁面及び柱等への取付手段についても特に制限を有するものではなく、接着、粘着、磁気吸着、ビス止めなどの手段を用いて取り付けることができる。
【００２０】
カラー表示領域１１、１２、１３、１４、１５、１６のそれぞれには、照度が不足している状況で被撮影者比定用メジャー１の表面を防犯カメラで撮影したときに、隣接するカラー表示領域（例えば、カラー表示領域１１とカラー表示領域１２の間）間で明度が異なるモノクロ画像が得られるように、色が配色される。
【００２１】
より具体的には、実施形態に係る被撮影者比定用メジャー１においては、図３に示すように、照度が不足している状況で撮影されたときに、隣接するカラー表示領域間の明度差が９０以上となるように配色されている。具体的には、図３に示すように、カラー表示領域１１については明度が３２の青で表示し、カラー表示領域１２については明度が１９２の黄で表示し、カラー表示領域１３については明度が６４の赤で表示し、カラー表示領域１４については明度が１６０のシアンで表示し、カラー表示領域１５については明度が２５５の白で表示し、カラー表示領域１６については明度が１２８の緑で表示している。
【００２２】
なお、図１乃至図３の例では、各カラー表示領域１１、１２、１３、１４、１５、１６について異なる色を重複すること無く使用しているが、隣り合うカラー表示領域の明度差が所定値以上確保できるのであれば、同一色を異なるカラー表示領域に繰り返して使用しても良い。
【００２３】
一方、目盛り線１７及び身長表示マーク１８については、各カラー表示領域１１、１２、１３、１４、１５、１６の着色とは異なる色で表示される。
【００２４】
実施形態に係る被撮影者比定用メジャー１は、各カラー表示領域１１、１２、１３、１４、１５、１６の着色並びに各カラー表示領域１１、１２、１３、１４、１５、１６内に表示された目盛り線１７及び身長表示マーク１８の着色をこのように配色したため、カメラ撮影のための照度が確保されている状況下では、防犯カメラで撮影したとき、図１に示すように、各カラー表示領域１１、１２、１３、１４、１５、１６、目盛り線１７及び身長表示マーク１８のカラー画像が得られる。従って、被撮影者の身長並びに被撮影者の着衣及び所持品の色を容易に比定することができる。
【００２５】
また、カメラ撮影のための照度が確保されていない状況下においても、防犯カメラで撮影したとき、図２に示すように、隣接するカラー表示領域１１、１２、１３、１４、１５、１６間で明度が異なるモノクロ画像が得られると共に、蓄光体を含むインクで印刷された枠２１及び目盛り線２２の発光を捉えた画像が得られる。従って、被撮影者の身長を比定できると共に、カラー表示領域１１、１２、１３、１４、１５、１６のモノクロ画像の明度と被撮影者のモノクロ画像の明度を比較することにより、被撮影者の着衣及び所持品の色を比定することができる。
【００２６】
なお、上記の実施形態は、本発明の実施の一例を示したものであり、本発明の範囲が上記の実施形態の範囲に限定されるものではない。
【００２７】
例えば、上記の実施形態においては、目盛り線１７及び身長表示マーク１８と各カラー表示領域１１、１２、１３、１４、１５、１６との明度差が特定されていないが、照度が確保されていない状況下でカメラ撮影したとき、目盛り線１７及び身長表示マーク１８と各カラー表示領域１１、１２、１３、１４、１５、１６との間の明度差が９０以上となるモノクロ画像が得られる配色で、目盛り線１７及び身長表示マーク１８を表示することもできる。このようにすると、図４に示すように、カメラ撮影のための照度が確保されていない状況下においても、各カラー表示領域１１、１２、１３、１４、１５、１６内に身長表示マーク１８が写し込まれたモノクロ画像が得られ、被撮影者の身長の比定をより容易なものにできる。
【００２８】
また、上記の実施形態においては、目盛り線１７及び身長表示マーク１８をカラー表示領域１１、１２、１３、１４、１５、１６内に表示したが、本発明の要旨はこれに限定されるものではなく、目盛り線１７及び身長表示マーク１８をカラー表示領域１１、１２、１３、１４、１５、１６外に表示することもできる。
【００２９】
更に、上記の実施形態においては、複数のカラー表示領域１１、１２、１３、１４、１５、１６を上下に連接して表示したが、本発明の要旨はこれに限定されるものではなく、これら複数のカラー表示領域１１、１２、１３、１４、１５、１６を左右に連接して基体３０の表面に表示することもできる。
【００３０】
加えて、上記の実施形態においては、蓄光体を含まないインクで身長表示マーク１８を表示したが、本発明の要旨はこれに限定されるものではなく、蓄光体を含むインクで身長表示マーク１８を表示することもできる。
【符号の説明】
【００３１】
１    被撮影者比定用メジャー
１１〜１６    カラー表示領域
１７    目盛り線
１８    身長表示マーク
２１    枠
２２    目盛り線
３０    基体
【図１】
2017209178.tif 000003
【図２】
2017209178.tif 000004
【図３】
2017209178.tif 000005
【図４】
2017209178.tif 000006